(57)【要約】【課題】  炎が容器の外側にはみ出すことに伴うエネルギーの無駄を防止し、エネルギーを有効利用できるようにする。【解決手段】  カバーは、内容物を加熱するための容器に対して容器の外周面を覆うように取付け可能なカバー１１０であって、容器の外周面から一定距離だけ離隔してこの外周面を取り囲むための外殻１５を備え、外殻１５の下端と容器との間に開放部９ａ，９ｂを有する。好ましくは、外殻１５は２つの部分４０ａ，４０ｂに分かれており、上記容器に対する取付けは、２つの部分４０ａ，４０ｂによって上記容器を挟み込むようにして行なうものとなっている。【選択図】        図１
2005160901.tif 000002
【特許請求の範囲】
【請求項１】
内容物を加熱するための容器に対して前記容器の外周面を覆うように取付け可能なカバーであって、
前記外周面から一定距離だけ離隔して前記外周面を取り囲むための外殻を備え、
前記外殻の下端と前記容器との間に開放部を有する、カバー。
【請求項２】
前記外殻は２つの部分に分かれており、前記容器に対する取付けは、前記２つの部分によって前記容器を挟み込むようにして行なうものである、請求項１に記載のカバー。
【請求項３】
前記外殻の内側において前記容器の外周面に沿うように配置された管と、
前記管に対して液体を供給するための液体入口と、
前記管から液体を取出すための液体出口とを備える、請求項１または２に記載のカバー。
【請求項４】
前記外殻は２つの部分に分かれており、前記２つの部分は、それぞれ別個に内側において前記容器の外周面に沿うように配置された管を備えており、前記容器に対する取付けは、前記２つの部分によって前記容器を挟み込むようにして行なうものであり、
前記管に対して液体を供給するための液体入口と、
前記管から液体を取出すための液体出口とを備え、
前記管は、前記２つの部分の各々の内部で前記外周面に沿って蛇行するように配置されている、請求項１に記載のカバー。
【請求項５】
前記外殻の上端において、前記外周面と前記外殻との間の間隙を塞ぐ上側覆い板を備える、請求項１から４のいずれかに記載のカバー。
【請求項６】
前記管は、銅管である、請求項１から５のいずれかに記載のカバー。
【請求項７】
請求項１から６のいずれかに記載のカバーをカバー部として備える容器。
【請求項８】
前記カバー部は、容器本体と一体的に構成されている、請求項７に記載の容器。
【発明の詳細な説明】
【技術分野】
【０００１】
本発明は、内容物を加熱するための容器、たとえば、鍋に取りつけて保温効果を高めるためのカバーに関するものである。鍋の中でも特に寸胴鍋などの鍋に取りつけるためのカバーに関するものである。さらに、内容物を加熱するための容器そのものにも関する。
【背景技術】
【０００２】
図１４を参照して、従来の寸胴鍋の使用形態について説明する。従来、寸胴鍋１を用いて何らかの内容物を加熱したい場合、内容物を入れた寸胴鍋１は、そのままコンロ３の上に置かれ、コンロ３が出す炎２によって下方から加熱されていた。しかし、寸胴鍋１が大きい場合には、内容物が十分に加熱されるまでに時間がかかる。そのため、下方から加熱する一方で寸胴鍋１の外周面などから熱が逃げてしまい、効率の悪いものとなっていた。
【０００３】
この問題を解決するためには、実用新案登録第３０８７０２９号（特許文献１）に開示されるように、省エネ保温カバーと称するものが提案されている。
【特許文献１】実用新案登録第３０８７０２９号
【発明の開示】
【発明が解決しようとする課題】
【０００４】
上記特許文献１に示される省エネ保温カバーは、寸胴鍋の外周に円筒状の部材に覆われた中空筒状の空間を形成することによって寸胴鍋の保温効率を高める一定の効果を狙っていることが窺える。しかし、この省エネ保温カバーは、下端において底面リングなるものを備えることによって内部の中空筒状の空間が完全に閉鎖されていたため、たとえこの省エネ保温カバーを取りつけていたとしても、強火で加熱を行なった場合には、図１５に示すように炎２は省エネ保温カバー１００のさらに外側にはみ出すと考えられる。したがって、炎２の熱の一部は空気中に逃げてしまい、炎２が本来発する熱エネルギーが十分に寸胴鍋１に吸収されなかった。
【０００５】
そこで、本発明では、寸胴鍋などの容器を用いて内容物を加熱する際に炎が容器の外側にはみ出すことに伴うエネルギーの無駄を防止し、エネルギーを有効利用できるようにすることを目的とする。
【課題を解決するための手段】
【０００６】
上記目的を達成するため、本発明に基づくカバーは、内容物を加熱するための容器に対して上記容器の外周面を覆うように取付け可能なカバーであって、上記外周面から一定距離だけ離隔して上記外周面を取り囲むための外殻を備え、上記外殻の下端と上記容器との間に開放部を有する。この構成を採用することにより、容器の外側にはみ出す炎を開放部から外殻内に取り込むことができるので、炎の熱エネルギーをほとんど外部に逃がさずに高い効率で容器の内容物の加熱に向けることができる。また、容器からはみ出そうとする炎を外殻の内側に封じ込めることができるので周囲環境の温度上昇を防止することもできる。
【０００７】
上記発明において好ましくは、上記外殻は２つの部分に分かれており、上記容器に対する取付けは、上記２つの部分によって上記容器を挟み込むようにして行なうものとなっている。この構成を採用することにより、容器を動かしたり持ち上げたりする必要もなく、取付けおよび取外し作業を簡単にすることができる。
【０００８】
上記発明において好ましくは、上記外殻の内側において上記容器の外周面に沿うように配置された管と、上記管に対して液体を供給するための液体入口と、上記管から液体を取出すための液体出口とを備える。この構成を採用することにより、液体入口から液体出口にかけて管内に液体を流すことで、開放部から外殻内に取り込んだ炎の熱エネルギーを有効利用して液体を高温の状態で取り出すことができる。
【０００９】
上記発明において好ましくは、上記外殻は２つの部分に分かれており、上記２つの部分は、それぞれ別個に内側において上記容器の外周面に沿うように配置された管を備えており、上記容器に対する取付けは、上記２つの部分によって上記容器を挟み込むようにして行なうものであり、上記管に対して液体を供給するための液体入口と、上記管から液体を取出すための液体出口とを備え、上記管は、上記２つの部分の各々の内部で上記外周面に沿って蛇行するように配置されている。この構成を採用することにより、取付けおよび取外し作業を簡単にすることができ、なおかつ、２つの部分それぞれにおいて液体入口から液体出口にかけて管内に液体を流すことで、開放部から外殻内に取り込んだ炎の熱エネルギーを有効利用して液体を高温状態にして取り出すことができる。特に、管が２つの部分の各々の内部で蛇行するように配置されているので、管の内部を循環する液体を循環途上の長い距離にわたって炎にさらすことができ、十分に昇温させることができる。
【００１０】
上記発明において好ましくは、上記外殻の上端において、上記外周面と上記外殻との間の間隙を塞ぐ上側覆い板を備える。この構成を採用することにより、熱い空気または炎が上端から噴出することを防げるため、作業者にとって安全となる。
【００１１】
上記発明において好ましくは、上記管は、銅管である。この構成を採用することにより、材料が安価で加工しやすく、熱伝導性に優れた管とすることができる。
【００１２】
上記目的を達成するため、本発明に基づく容器は、上述のいずれかのカバーをカバー部として備える。この構成を採用することにより、外側にはみ出す炎をカバー部の内側に取り込むことができるので、炎の熱エネルギーをほとんど外部に逃がさずに高い効率で内容物の加熱に向けることができる容器となる。また、炎をカバー部の内側に封じ込めることができるので周囲環境の温度上昇を防止することもできる。
【００１３】
上記発明において好ましくは、上記カバー部は、容器本体と一体的に構成されている。この構成を採用することにより、容器本体に対してカバーを取り付ける手間が省ける。また、使用中にカバーが不所望に外れたりずれたりするというおそれもなく、作業者は安心して作業に専念することができる。
【発明の効果】
【００１４】
本発明によれば、容器の外側にはみ出す炎を外殻内に取り込むことができるので、従来空中に放出されて無駄となっていた炎の熱エネルギーを有効利用して効率良く容器の内容物を加熱することができる。また、容器からはみ出そうとする炎を外殻の内側に封じ込めることができるので、周囲環境の温度上昇を防止することもできて、作業者の環境向上にも貢献する。また、はみ出した炎による周辺への引火のおそれも低減できる。
【発明を実施するための最良の形態】
【００１５】
（実施の形態１）
（構成）
図１〜図３を参照して、本発明に基づく実施の形態１におけるカバー１１０について説明する。図１にカバー１１０の単独での状態の斜視図を示す。このカバー１１０は、内容物を加熱するための容器に対して、容器の外周面を覆うように取付け可能なカバーである。内容物を加熱するための容器とは、鍋などであるが、ここではその一例として寸胴鍋を想定し、寸胴鍋に対して取付け可能なカバーとなっている。
【００１６】
このカバー１１０は、図１に示すように、外殻１５を備える。外殻１５は、寸胴鍋に取付けたときに寸胴鍋の外周面から一定距離だけ離隔して寸胴鍋の外周面を取り囲むためのものである。このカバー１１０は、外殻１５が２つの部分に分かれることによって、左右対称に２つの部分、すなわち右側部４０ａと左側部４０ｂとに分かれている。これら２つの部分は、一方の端部において蝶番（図示せず）によって互いに接続されている。右側部４０ａと左側部４０ｂとは、それぞれ上側に上側覆い板８ａ，８ｂを備えている。図１に示すように、カバー１１０の下端においては、上端と異なり、底面となる板はなく外殻１５の内側は開放されており、ここは開放部９ａ，９ｂとなっている。
【００１７】
（使用例）
図２を参照して、本実施の形態におけるカバー１１０の使用例について説明する。カバー１１０は、寸胴鍋１に対してその外周面１９を覆うように取り付けられている。すなわち、カバー１１０は、右側部４０ａと左側部４０ｂとで挟みこむようにして寸胴鍋１の外周面１９を包み込んでいる。右側部４０ａと左側部４０ｂとの先端同士は、図２では固定方法を図示していないが、実際には公知技術によって互いに固定する。たとえば、貫通穴同士を重ね合わせて棒を貫通させる方式であっても、フックで係止する方式であっても、磁石で吸着させる方式であってもよい。要するに、右側部４０ａと左側部４０ｂとで寸胴鍋１を挟みこんだ状態で固定できればよい。
【００１８】
（作用・効果）
使用状態でのカバー１１０近傍の部分断面図を図３に示す。寸胴鍋１の内部には内容物１７が入っている。内容物１７を加熱するために、炎２が寸胴鍋１の底面に当てられている。炎２は寸胴鍋１の底面だけに収まらず、寸胴鍋１の外側にもはみ出している。
【００１９】
しかし、寸胴鍋１の外側にはカバー１１０が取り付けられており、カバー１１０は開放部９ａを有するため、寸胴鍋１の底面から外側にはみ出した炎２は開放部９ａから間隙１８内に入り込む。
【００２０】
こうして、炎２の先端は外殻１５に囲まれた空間である間隙１８内に閉じ込められた状態で寸胴鍋１を外周面１９から加熱することとなる。本実施の形態では、炎２の外側が外殻１５によって囲まれていることによって、従来であれば外部に放出されていた熱エネルギーの大部分を逃がすことなく外周面１９の加熱または間隙１８内の空気の加熱に向けることができる。高温になった間隙１８内の空気は、寸胴鍋１に対する加熱に寄与する。したがって、全体として見れば、本実施の形態では、炎２の熱エネルギーをほとんど外部に逃がさずに高い効率で寸胴鍋１の内容物１７の加熱に向けることができる。しかも、従来であれば寸胴鍋１の主に下面からしか加熱がされなかったのに対して、本実施の形態では、間隙１８に沿って炎２が上方に伸び、また、外殻１５が形成されている範囲全体に高温になった空気が保持されることとなるので、寸胴鍋１の下面のみならず、外周面１９の比較的高い位置からも内側の寸胴鍋１に対する加熱が行われることとなり、高い位置にある内容物１７をも迅速に加熱することができる。
【００２１】
本実施の形態では、従来は外側にはみ出していた炎２が間隙１８内に入り込んで外殻１５によって覆い隠されていることによって、周囲環境の温度上昇を防止することもできる。したがって、従来は高温の中での作業を強いられていた周囲の作業者に、より快適な環境を提供することができる。また、炎２が外殻１５の内部に封じ込められることによって、はみ出した炎２が周辺の他の物に引火するおそれも低減することができる。
【００２２】
なお、図３では上側覆い板８ａが寸胴鍋１の外周面１９と密着している。密着している方が、間隙１８内の高温の空気を保持する効果が高まるため好ましいが、必ずしも密着していなくても一定の効果を上げることができる。換気のために必要があれば、上側覆い板８ａまたは外殻１５に適宜貫通穴を設けてもよい。
【００２３】
（実施の形態２）
（構成）
図４〜図７を参照して、本発明に基づく実施の形態２におけるカバー１２０について説明する。図４にカバー１２０の単独での状態の斜視図を示す。このカバー１２０は、実施の形態１におけるカバー１１０と同様に、寸胴鍋に対して取付け可能なカバーとなっている。
【００２４】
このカバー１２０は、図４に示すように、外殻１５を備える。外殻１５は、実施の形態１で説明したものと同様である。このカバー１２０は、外殻１５が２つの部分に分かれることによって、左右対称に２つの部分、すなわち右側部４０ａと左側部４０ｂとに分かれている。これら２つの部分は、一方の端部において蝶番（図示せず）によって互いに接続されている。図４では、説明の便宜のため、右側部４０ａにおいて外殻１５の一部を切り欠いた状態で表示している。
【００２５】
右側部４０ａと左側部４０ｂとは、それぞれ上側に上側覆い板８ａ，８ｂを備えている。上側覆い板８ａ，８ｂにはそれぞれ液体入口６ａ，６ｂ、液体出口７ａ，７ｂが配置されている。外殻１５の内側には、管５ａ，５ｂが配置されている。右側部４０ａの内部には管５ａが収まっており、左側部４０ｂの内部には管５ｂが収まっている。管５ａ，５ｂは、上側を上側覆い板８ａ，８ｂによってそれぞれ覆われている。管５ａ，５ｂは、外側から見た場合、外殻１５によって覆い隠されているが、内側に対しては露出している。
【００２６】
カバー１２０の右側部４０ａの内部においては、管５ａは、液体入口６ａと液体出口７ａとを接続している。管５ａの配置例を図５に示す。図５では、本来半円筒形に湾曲している右側部４０ａを、説明の便宜のため、平坦な状態に展開して管５ａの配置を示している。図５では、管５ａが寸胴鍋の外周面に沿って蛇行しているが、この管５ａの形状はあくまで一例であって、右側部４０ａの内部で液体入口６ａから液体出口７ａに至る経路であれば、他の経路であってもよい。
【００２７】
カバー１２０の左側部４０ｂの内部においても、同様に管５ｂが配置されており、液体入口６ｂと液体出口７ｂとを接続している。
【００２８】
図４に示すように、カバー１２０の下端においては、上端と異なり、底面を構成する板状部分はなく開放されており、ここは開放部９ａ，９ｂとなっている。
【００２９】
（使用例）
図６を参照して、本実施の形態におけるカバー１２０の使用例について説明する。カバー１２０は、寸胴鍋１に対してその外周面１９を覆うように取り付けられている。この取り付け方は、実施の形態１で説明したものと同様である。
【００３０】
さらに、液体入口６ａ，６ｂには入側外部管１０が接続されている。入側外部管１０の他端は水道などに接続されている。液体出口７ａ，７ｂには出側外部管１１が接続されている。出側外部管１１には蛇口１２が接続されている。図６では、蛇口１２は１つのみ表示しているが、複数の蛇口を配置してもよい。
【００３１】
（作用・効果）
上述のように寸胴鍋１にカバー１２０を取り付け、入側外部管１０を設けたことによって、新しい水が入側外部管１０を経て液体入口６ａ，６ｂからカバー１２０内に供給される。
【００３２】
使用状態でのカバー１２０近傍の部分断面図を図７に示す。寸胴鍋１の内部には内容物１７が入っている。内容物１７を加熱するために、炎２が寸胴鍋１の底面に当てられている。炎２は寸胴鍋１の底面だけに収まらず、寸胴鍋１の外側にもはみ出している。
【００３３】
しかし、寸胴鍋１の外側にはカバー１２０が取り付けられており、カバー１２０は開放部９ａを有するため、寸胴鍋１の底面から外側にはみ出した炎２は開放部９ａから間隙１８内に入り込む。こうして、実施の形態１で説明したのと同様の効果をまず得ることができる。
【００３４】
さらに、間隙１８内には管５ａがあり、間隙１８内に入り込んだ炎２は管５ａを加熱する。管５ａ内には液体入口６ａ，６ｂから供給された水が通っているため、この水が加熱されて湯となる。図６に示した蛇口１２を開くことによって、湯を取出すことができる。取り出した湯はさまざまな目的に自由に用いてよい。
【００３５】
管５ａは間隙１８内で寸胴鍋１の外周面１９に沿うように蛇行しているので、蛇口１２を開きっぱなしにして水が連続的に管５ａ内を循環するようにした状態でも、炎２が十分強ければ水は管５ａを通過している間に十分に昇温する。その結果、蛇口１２からは連続的に湯を取出すことができる。このように取り出される湯は、従来には炎２が外側にはみ出すことで無駄になっていた熱エネルギーを有効利用して得られるものであって、新たなエネルギーの追加投入を必要とすることなく得られるものである。ここでは、右側部４０ａ内の様子を説明しているが、左側部４０ｂの内部においても同様の作用・効果が得られる。管５ａで熱された水と管５ｂで熱された水とは出側外部管１１で合流して蛇口１２に向けて供給される。
【００３６】
このカバー１２０を用いれば、実施の形態１で説明した効果のほかに、さらに炎２の余分な熱エネルギーを利用して水を湯に変えることができるというメリットがある。
【００３７】
なお、カバーの構造としては、図８に示すカバー１２１のように、外殻１５のほかに内殻１６がある構造であってもよい。内殻１６も外殻１５同様に左右に分離可能に構成される。その場合、寸胴鍋１から取り外した状態で内側を見ても管５ａ，５ｂは内殻１６によって覆い隠されて見えない構造となる。カバー１２１においては、外殻１５と内殻１６とによって挟まれる空間が図９に示すように間隙１８となる。このカバー１２１の使用時には、間隙１８に入り込んだ炎２は、寸胴鍋１の外周面１９を加熱するに当たっては内殻１６を介することとなるため、寸胴鍋１への熱エネルギーの供給という点では若干効率が悪くなるが、内殻１６があることによってカバー全体の強度を向上させることができたり、不注意による接触事故での管５ａ，５ｂの破損を防止できたりするというメリットがある。
【００３８】
なお、管５ａ，５ｂは、銅管であることが好ましい。材料が安価で加工しやすく、熱伝導性に優れているからである。
【００３９】
本実施の形態では、管５ａ，５ｂの内部に流す液体が水である例を示したが、液体は水以外のものであってもよい。たとえばスープなどであってもよい。
【００４０】
本実施の形態では、図６に示したように、入側外部管１０として二又に分岐したものを用いて右側部４０ａと左側部４０ｂとの両方に並列に液体を供給し、右側部４０ａと左側部４０ｂとの各々の内部を通過して液体出口７ａ，７ｂからそれぞれ出てきた液体を出側外部管１１において合流させる例を示したが、本発明を実施する上では管の接続の仕方はこのような並列のものに限らない。たとえば、直列に接続してもよい。その場合、右側部４０ａおよび左側部４０ｂのうちのいずれか任意の一方を第１の側、他方を第２の側と呼ぶことにすると、入側外部管１０から第１の側の液体入口に対してのみ液体を供給して、第１の側の内部を通過して液体出口から出た液体を第２の側の液体入口に導いて第２の側の内部を通過させ、第２の側の液体出口から出た液体を出側外部管によって蛇口１２などに導くこととなる。このようにすれば、液体が加熱されながら流れる経路の長さが長くなり、液体をより確実に加熱することができる。
【００４１】
直列、並列いずれの場合でも、右側部４０ａおよび左側部４０ｂの液体入口、液体出口の位置は都合に合わせて適宜設定すればよく、たとえば、直列につなぐ場合は、第１の側の出口と第２の側の入口とが互いに近くなるように配置すれば、両者間の接続に要する管の長さを短くすることができるため、好ましい。
【００４２】
なお、実施の形態１，２とも、上側覆い板８ａ，８ｂを備える例を示した。この場合、上側覆い板８ａ，８ｂによって間隙１８の上端が塞がれていることによって、外殻１６の内側で熱された空気を間隙１８に閉じ込めておくことができるため、好ましい。しかし仮に、上側覆い板８ａ，８ｂがなく、上端が下端同様に開放されている構造であっても、外側にはみ出そうとする炎を外殻の内側に取り込み、容器の内容物を容器外周面から効率良く加熱することはできるので、ある程度の効果を得ることはできる。これに比べて、上側覆い板８ａ，８ｂを備えていれば、熱い空気または炎が上端から噴出することを防げるため、作業者にとって安全であり、より好ましい。
【００４３】
なお、実施の形態１，２とも、カバーの構造としては、左右２つの部分に分かれてこれらが蝶番を介して互いに接続されている形態のものを例示したが、本発明に基づくカバーとしては、このような形態のものに限られない。蝶番がなく、取り外した状態では左右ばらばらの状態となるものであってもよい。また、左右２つではなく、３つ以上の部分からなるものであってもよい。また、一体型の筒状のものであって、寸胴鍋などに対して上または下から嵌め込む形式であってもよい。
【００４４】
（実施の形態３）
（構成）
図１０を参照して、本発明に基づく実施の形態３における容器の一例としての寸胴鍋１ｉについて説明する。寸胴鍋１ｉは、その一部分としてカバー部１３０を備える。カバー部１３０は、鍋本体外周面１９ｎの外側を取り囲むようにして覆っている。カバー部１３０は、寸胴鍋１ｉの本体に対して別個部品として着脱可能なように構成されていてもよいが、寸胴鍋１ｉの本体に対して接続されて一体物となっていてもよい。本実施の形態では、一体物となっているものとする。
【００４５】
（使用例）
寸胴鍋１ｉの使用状態における部分断面図は図１１に示すようになる。
【００４６】
（作用・効果）
本実施の形態においても、実施の形態１における効果と同様の効果を得ることができる。さらに、カバー部１３０を寸胴鍋の本体部分と一体的に構成することとすれば、寸胴鍋に対してカバーを取り付ける手間が省ける。また、使用中にカバーが不所望に外れたりずれたりするというおそれもなく、作業者は安心して作業に専念することができる。
【００４７】
（実施の形態４）
（構成）
図１２、図１３を参照して、本発明に基づく実施の形態４における容器の一例としての寸胴鍋１ｊについて説明する。図１２は、寸胴鍋１ｊを斜め下から見た斜視図である。図１３は、寸胴鍋１ｊの部分断面図である。寸胴鍋１ｊは、鍋本体外周面１９ｎの外側を取り囲むようにして覆うカバー部１３１を備える。カバー部１３１は、寸胴鍋１ｊの本体部分と一体的に形成されている。カバー部１３１と鍋本体外周面１９ｎとの間に間隙１８が形成されている。カバー部１３１の下端には、間隙１８を覆い隠すように下側覆い板９ｆが設けられている。ただし、下側覆い板９ｆには開放部として炎取込み孔９ｈが設けられており、使用時には炎がこの炎取込み孔９ｈから間隙１８内部に入り込めるようになっている。
【００４８】
（作用・効果）
本実施の形態においては、供給される炎のうち炎取込み孔９ｈに入らなかったものがカバー部１３１の外側に逃げてしまうおそれがあり、熱エネルギーの利用効率という点では他の実施の形態に比べて若干劣るが、それでも、従来技術に比べれば、十分に利用効率を上げることができ、実施の形態３における効果とほぼ同様の効果を得ることができる。さらに、実施の形態３における寸胴鍋１ｉ（図１１参照）のようにカバー部１３０を寸胴鍋の本体部分と一体的に形成したものにおいては、カバー部１３０を取り外して洗浄することができず、なおかつ、カバー部１３０の下側が開放部９ａ，９ｂとして大きく開いていたため、カバー部１３０の内部の汚れがよく見えてしまうが、実施の形態４における寸胴鍋１ｊ（図１２、図１３参照）のようにカバー部１３１を備えることとしておけば、下側覆い板９ｆがあることによってカバー部１３１の内部の汚れがあまり見えなくなり、美観を保つことができる。また、下方からの炎による加熱を止めたとき、本実施の形態では、カバー部１３１の内外間の空気の流通経路が炎取込み孔９ｈに限られるので、カバー部１３１の内部の高温の空気は外部に逃げにくくなり、より長い間、カバー部１３１内部に留まるので、寸胴鍋１ｊの内容物が冷めにくくなる。
【００４９】
なお、実施の形態３，４の容器において、実施の形態２の考え方を適用して、カバー部１３０やカバー部１３１の内部に管を設けて液体を流せる構造としてもよい。
【００５０】
なお、実施の形態１，２のカバーにおいて、実施の形態４のように炎取込み孔を有する下側覆い板を備えることとしてもよい。こうすれば、炎の供給を止めた後にもカバーの内部に高温の空気が留まることとなって、保温性を高めることができる。
【００５１】
なお、上記各実施の形態では、加熱される容器が寸胴鍋である例を示したが、寸胴鍋以外のタイプの鍋であってもよい。また、容器は鍋などの調理器具に限らず、内容物を加熱するための容器であれば、他の分野の容器であってもよい。
【００５２】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００５３】
【図１】本発明に基づく実施の形態１におけるカバーの斜視図である。
【図２】本発明に基づく実施の形態１におけるカバーの使用状態の斜視図である。
【図３】本発明に基づく実施の形態１におけるカバーの使用状態の部分断面図である。
【図４】本発明に基づく実施の形態２におけるカバーの斜視図である。
【図５】本発明に基づく実施の形態２におけるカバー内に収められている管の形状の一例を示す図である。
【図６】本発明に基づく実施の形態２におけるカバーの使用状態の斜視図である。
【図７】本発明に基づく実施の形態２におけるカバーの使用状態の部分断面図である。
【図８】本発明に基づく実施の形態２におけるカバーの他の例の斜視図である。
【図９】本発明に基づく実施の形態２におけるカバーの他の例の使用状態の部分断面図である。
【図１０】本発明に基づく実施の形態３における容器の斜視図である。
【図１１】本発明に基づく実施の形態３における容器の使用状態の部分断面図である。
【図１２】本発明に基づく実施の形態４における容器の斜視図である。
【図１３】本発明に基づく実施の形態４における容器の部分断面図である。
【図１４】従来の寸胴鍋の使用状態の斜視図である。
【図１５】従来提案されていた省エネ保温カバーの使用状態の斜視図である。
【符号の説明】
【００５４】
１，１ｉ，１ｊ  寸胴鍋、２  炎、３  コンロ、５ａ，５ｂ  管、６ａ，６ｂ  液体入口、７ａ，７ｂ  液体出口、８ａ，８ｂ  上側覆い板、９ａ，９ｂ  開放部、９ｆ  下側覆い板、９ｈ  炎取込み孔、１０  入側外部管、１１  出側外部管、１２  蛇口、１３  棒、１４  筒状部、１５  外殻、１６  内殻、１７  内容物、１８  間隙、１９  外周面、１９ｎ  鍋本体外周面、４０ａ  右側部、４０ｂ  左側部、１００，１１０，１２０，１２１  カバー、１３０，１３１  カバー部。
【図１】
2005160901.tif 000003
【図２】
2005160901.tif 000004
【図３】
2005160901.tif 000005
【図４】
2005160901.tif 000006
【図５】
2005160901.tif 000007
【図６】
2005160901.tif 000008
【図７】
2005160901.tif 000009
【図８】
2005160901.tif 000010
【図９】
2005160901.tif 000011
【図１０】
2005160901.tif 000012
【図１１】
2005160901.tif 000013
【図１２】
2005160901.tif 000014
【図１３】
2005160901.tif 000015
【図１４】
2005160901.tif 000016
【図１５】
2005160901.tif 000017